(57)【要約】【課題】天板に何らの加工を施すことなく、天板の上方と下方と前方の空間を、互いに連結した３枚のパネルにより、左右方向に容易に仕切ることができ、かつ互いに連結した各パネルの左右位置や、各パネルの大きさ及び種類等も容易に変更しうるようにした仕切りパネルを提供する。【解決手段】天板２の上面に載置された上部パネル５と、天板の下方において床面に載置された下部パネル６と、天板の前方の床面に載置された前部パネル７とを備え、上部パネル５及び下部パネル６の前端と、前部パネル７の後端同士を互いに連結し、上部パネル５と下部パネル６との対向面間に形成された隙間Ｓに挟入した天板２の下面を、下部パネル６の上面に設けた押圧手段２３、２８により押圧し、上部パネル５と下部パネル６とにより天板２を挟持する。【選択図】  図２
2010035566.tif 000002
【特許請求の範囲】
【請求項１】
什器の天板の上面に載置され、天板の上方の空間を左右方向に仕切る上部パネルと、天板の下方において床面に載置され、天板の下方の空間を左右方向に仕切る下部パネルと、天板の前方の空間を左右方向に仕切る前部パネルとを備え、前記上部パネル及び下部パネルの前端と、前記前部パネルの後端同士を互いに連結し、上部パネルと下部パネルとの対向面間に形成された隙間に挟入した前記天板の下面を、下部パネルの上面に設けた押圧手段により押圧して、前記上部パネルと下部パネルとにより天板を挟持したことを特徴とする什器用仕切りパネル。
【請求項２】
押圧手段を、下部パネルの上面に取付けた、パネルの左右両側方に延出する左右１対の水平片を有する固定部材と、前記両水平片の外側端部に設けためねじに下方より螺合され、上端により天板の下面を押圧可能な押圧ボルトとよりなるものとした請求項１記載の什器用仕切りパネル。
【請求項３】
押圧ボルトの上端と天板との間に、押圧板を挟入してなる請求項２記載の什器用仕切りパネル。
【請求項４】
前部パネルの前端下部を、パネル固定具を介して床面に固定してなる請求項１〜３のいずれかに記載の什器用仕切りパネル。
【請求項５】
床面に、下部パネルと前部パネルの下端部を嵌合することにより、それらの下端と床面との間に形成される隙間を閉塞する正面視上向コ字状断面の塞ぎ材を設けてなる請求項１〜４のいずれかに記載の什器用仕切りパネル。
【請求項６】
互いに連結された上部パネル、下部パネル及び前部パネルを、天板に左右に離間させて取付け、いずれか一方の前部パネルの前端に、前方を向く延長パネルの後端を連結し、他方の前部パネルの前端に、前記延長パネルと平行をなし、かつ前端が前記延長パネル側に向かって屈曲する延長パネルの後端を連結してなる請求項１〜５のいずれかに記載の什器用仕切りパネル。
【発明の詳細な説明】
【技術分野】
【０００１】
本発明は、例えば接客用カウンタ等の天板に取付けることにより、その周囲の空間を左右方向に仕切る什器用仕切りパネルに関する。
【背景技術】
【０００２】
天板上の空間を、仕切りパネルにより左右方向に仕切ってなる什器としては、例えば特許文献１及び２に記載されているものがある。
【特許文献１】特開２００４−３１３４７１号公報
【特許文献２】特開２００５−１３１２００号公報
【発明の開示】
【発明が解決しようとする課題】
【０００３】
上記特許文献１に記載されているものにおいては、天板上に設けた仕切りパネルの前後の端面を、それぞれ、天板の前端と近接させて床面より起立する支持杆と、天板の後端より上方に突出する支柱に取り付けているので、天板に仕切りパネルの荷重が加わらず、また、天板に仕切りパネル取付用の加工を施す必要がないという利点がある。
しかし、仕切りパネルの上下両端に、前記支持杆及び支柱に取り付けるための水平杆を固定する必要があるため、部品点数や取付工数が増え、コスト高となるという問題がある。
また、支持杆及び支柱の位置が決められているので、仕切りパネルの左右方向の位置を容易に変更することはできない。
【０００４】
上記特許文献２に記載のものにおいては、天板に、仕切りパネルの側端を固定するための加工を施す必要があるので、加工コストが増大し、また、天板を、仕切りパネルのない他の什器と共通化することはできない。
さらに、天板に、固定手段取付用の加工を施すと、仕切りパネルの取付位置は、固定手段を取付けた位置に限られることとなるので、仕切りパネルの左右方向の位置を容易に変更することはできない。
【０００５】
さらに、上記特許文献１及び２に記載の仕切りパネルの取付構造では、大きさや種類等の異なる仕切りパネルに簡単に変更することができないだけでなく、例えば接客用のカウンタ等において、その天板の前方、すなわち顧客側の空間を、別の仕切りパネルを連結して左右方向に仕切りたいときに、それが簡単にできないという問題もある。
【０００６】
本発明は、上記問題点に鑑みてなされたもので、天板に何らの加工を施すことなく、天板の上方と下方と前方の空間を、互いに連結した３枚のパネルにより、左右方向に簡単に仕切ることができ、かつ互いに連結した各パネルの左右位置や、各パネルの大きさ及び種類等を、容易に変更しうるようにした、什器用仕切りパネルを提供することを目的としている。
【課題を解決するための手段】
【０００７】
本発明によると、上記課題は、次の各項のようにして解決される。
（１）什器の天板の上面に載置され、天板の上方の空間を左右方向に仕切る上部パネルと、天板の下方において床面に載置され、天板の下方の空間を左右方向に仕切る下部パネルと、天板の前方の空間を左右方向に仕切る前部パネルとを備え、前記上部パネル及び下部パネルの前端と、前記前部パネルの後端同士を互いに連結し、上部パネルと下部パネルとの対向面間に形成された隙間に挟入した前記天板の下面を、下部パネルの上面に設けた押圧手段により押圧して、前記上部パネルと下部パネルとにより天板を挟持する。
【０００８】
このような構成とすると、天板に何らの加工を施すことなく、互いに連結した３枚のパネルよりなる仕切りパネルを天板に取付けて、その上方と下方と前方の空間を、左右方向に簡単に仕切ることができる。
また、仕切りパネルの天板への左右方向の取付位置を容易に変更しうるだけでなく、各パネルの大きさや種類等も容易に変更することができる。
【０００９】
（２）上記(１)項において、押圧手段を、下部パネルの上面に取付けた、パネルの左右両側方に延出する左右１対の水平片を有する固定部材と、前記両水平片の外側端部に設けためねじに下方より螺合され、上端により天板の下面を押圧可能な押圧ボルトとよりなるものとする。
【００１０】
このような構成とすると、下部パネルの上面に取付けた固定部材の両水平片におけるめねじに螺合した押圧ボルトを、下方より回動操作するだけの簡単な作業で、下部パネルの上面を、押圧ボルトと固定部材を介して、天板の下面に圧接することができる。
また、固定部材の両水平片は、下部パネルの左右両側方に延出し、かつその外側端部に設けためねじに螺合された押圧ボルトにより、天板の下面を押圧するようにしているので、下部パネルが左右方向にぐらつく恐れがない。
【００１１】
（３）上記(２)項において、押圧ボルトの上端と天板との間に、押圧板を挟入する。
【００１２】
このような構成とすると、天板の下面に押圧痕が形成されることがない。
また、天板の下面を面で押圧するので、圧接面積が大となり、下部パネル及び連結後の仕切りパネルが安定して取付けられる。
【００１３】
（４）上記(１)〜(３)項のいずれかにおいて、前部パネルの前端下部を、パネル固定具を介して床面に固定する。
【００１４】
このような構成とすると、前部パネルが左右方向にぐらつくのが防止されるので、連結後の仕切りパネルがより安定する。
【００１５】
（５）上記(１)〜(４)項のいずれかにおいて、床面に、下部パネルと前部パネルの下端部を嵌合することにより、それらの下端と床面との間に形成される隙間を閉塞する正面視上向コ字状断面の塞ぎ材を設ける。
【００１６】
このような構成とすると、仕切りパネルを取付けた什器の体裁がよくなるとともに、床面に落下した物品やごみ等の異物が、隙間に入り込むことがなくなる。
【００１７】
（６）上記(１)〜(５)項のいずれかにおいて、互いに連結された上部パネル、下部パネル及び前部パネルを、天板に左右に離間させて取付け、いずれか一方の前部パネルの前端に、前方を向く延長パネルの後端を連結し、他方の前部パネルの前端に、前記延長パネルと平行をなし、かつ前端が前記延長パネル側に向かって屈曲する延長パネルの後端を連結する。
【００１８】
このような構成とすると、例えば接客カウンタ等の什器に適用した際、天板の前方に、一方のものを屈曲させた左右の延長パネルにより、顧客用の大きなブースを容易に、かつ体裁よく形成することができる。
【発明の効果】
【００１９】
本発明によれば、天板に何らの加工を施すことなく、互いに連結した少なくとも３枚の単体パネルを天板に容易に取付けて、その上方と下方と前方の空間を、左右方向に簡単に仕切ることができる。
また、仕切りパネルの天板への左右方向の取付位置を容易に変更しうるだけでなく、仕切りパネルは、３枚の単体パネルを連結したものよりなっているので、各パネルの大きさや種類等も変更することができる。
【発明を実施するための最良の形態】
【００２０】
以下、本発明の実施形態を、図面に基づいて説明する。
図１は、本発明を適用した対面式接客カウンタの一部切欠き斜視図、図２は、図１のII-II線拡大縦断側面図で、この接客カウンタは、互いに平行をなして対向する左右１対のエンドパネル１、１と、この両エンドパネル１における上下方向の中間部の対向面に両側端が固定された左右方向に長い天板２と、天板２の前後方向(以下、顧客側である図２の右方を前として説明する)の中央部下面を支持するようにして、床面Ｆに立設され、かつ両側端が左右のエンドパネル１の内側面に固定された幕板３とを備えている。なお、左右のエンドパネル１と幕板３は、天板２を支持する脚体を兼ねている。
【００２１】
接客カウンタには、天板２の上方と下方と前方とを左右方向に仕切る複数の仕切りパネル４、４が取付けられている。なお、仕切りパネル４、４の取付構造は、左右同一構造であるため、以下は、左方のもののみについて説明する。
【００２２】
仕切りパネル４は、天板２の上方を左右方向に仕切る上部パネル５と、顧客側である幕板３より前方における天板２の下方を左右方向に仕切る下部パネル６と、天板２の前方を左右方向に仕切る前部パネル７との３枚の単体パネルよりなっている。
【００２３】
上部パネル５は、前後寸法が、天板２のそれよりも若干短寸で、前端部が天板２の前端より若干突出するようにして、天板２の上面に載置されている。
下部パネル６は、上下寸法が、床面Ｆから天板２の下面までの寸法よりも若干短寸で、かつ前後寸法が、天板２の前後寸法をほぼ２分する寸法とされ、前端が上部パネル５の前端と同一面に整合するようにして、床面Ｆに載置されている。
前部パネル７の上下寸法は、床面Ｆから上部パネル５の上端までの上下寸法と等しくされている。
【００２４】
拡大縦断面図である図３に示すように、下部パネル６と前部パネル７の下部フレーム８(同一形状につき、前部パネル側は図示略)の下端には、正面視下向きコ字状断面の幅木９が固着され、この幅木９内には、床面Ｆに載置される正面視上向コ字状断面の前後方向を向く塞ぎ材１０が、上下に移動可能に嵌合され、後記するアジャスタ１２により仕切りパネル４の高さを調整した際における、両パネル６、７の幅木９の下端と床面Ｆとの間に形成される隙間が、塞ぎ材１０により閉塞されるようになっている。
【００２５】
下部パネル６と前部パネル７における幅木９の前後両端部下面には、側面視内向きコ字状のアジャスタ取付部材１１の上面が固着され、このアジャスタ取付部材１１の下端に溶接されたナット１１aには、高さ調節用のアジャスタ１２におけるねじ軸１２a の上端部が、上方に貫通するようにして螺挿され、アジャスタ１２の下端における接床部材１２bは、塞ぎ材１０の下面の切欠き１０aを経て、床面Ｆに接している。下部パネル６と前部パネル７の床面Ｆに対するレベルの調整は、塞ぎ材１０を、アジャスタ１２の下端部が露出するまで上方に持ち上げ、その回動操作部１２cを工具により回動させることにより、パネルの側方より容易に行うことができる。
【００２６】
上部パネル５と下部パネル６と前部パネル７との対向面同士は、図４の拡大分解側面図及び連結後の要部の拡大縦断側面図である図５に示すように、上下２個の連結部材１３、１３と係止金具１４と固定金具１５とにより、次のようにして互いに連結されている。
【００２７】
上下の連結部材１３は、各パネル５、６、７の側端における互いに対向するサイドフレーム１６'、１６''、１６'''の中央部に形成された内向コ字状断面をなす屈曲部１６a(図９参照)の外面の上下方向を向く凹溝１７に嵌合可能な、後端が垂直面とされた側面視ほぼＴ字状をなす基部１３a と、この基部１３a の下端部の前後両端部に連設された下向き鉤状の係止爪１３b、１３bと、基部１３a の上端に連設された上向きの取付片１３cとを有している。
【００２８】
各パネル５、６、７同士を連結するには、まず、上部パネル５のサイドフレーム１６'の下部と、下部パネル６のサイドフレーム１６''の下端部とに、連結部材１３、１３を、次のようにして取付ける。
【００２９】
各連結部材１３の一方(後部側)の係止爪１３bを、それぞれ上部パネル５と下部パネル６におけるサイドフレーム１６'、１６''の屈曲部１６aの溝底面に穿設された縦長方形の係合孔１８、１８の下縁に、上方より落とし込むようにして係合させたのち、取付片１３cを、止めねじ１９をもってサイドフレーム１６'、１６''の凹溝１７の奥面に固定する。
【００３０】
ついで、下部パネル６に固定した連結部材１３の他方の係止爪１３bを、前部パネル７における後端のサイドフレーム１６'''の屈曲部１６aの溝底面に形成された、下部パネル６の係合孔１８と対向する係合孔１８の下縁に、上方より落とし込んで係合させ、下部パネル６の下端を前部パネル６の下端部に係止する。
【００３１】
ついで、係止金具１４の前端に折曲形成された上向きの係止片１４aを、前部パネル７における後端のサイドフレーム１６'''の屈曲部１６aの中間部に形成された方形の係合孔１８の上縁に係合させた後、下部パネル６の上端面に形成された前後方向を向く凹溝２０の前端部に、係止金具１４の後半部を、止めねじ２１、２１により固定する。これにより、下部パネル６の前端は、前部パネル７の後端に、上下方向へ動くのが規制されて連結される。
【００３２】
ついで、上部パネル５に固定した連結部材１３における他方の係止爪１３bを、前部パネル７における後端のサイドフレーム１６'''の屈曲部１６aの溝底面に形成された、上部パネル５の係合孔１８と対向する係合孔１８の下縁に、上方より落とし込んで係合させることにより、上部パネル５と前部パネル７とを仮連結する。
【００３３】
ついで、上部パネル５と前部パネル７との上端に形成された前後方向を向く凹溝２２、２２の対向端部に、正面視上向きコ字状の固定金具１５を嵌合し、その前後両端部を、複数の止めねじ２１により上部パネル５と前部パネル７の凹溝２２内に固定する。これにより、上部パネル５の前端が前部パネル７の後端に連結され、かつ上部パネル５と下部パネル６との対向端には、天板２が挟入可能な、その厚さよりも大きな隙間Ｓが形成される。なお、下部パネル６と前部パネル７との連結に当たっては、係止金具１４の代わりに、下側の連結部材１３と同様の連結部材を下部パネル６のサイドフレーム１６''に取付けて行うこともできる。
【００３４】
図２、図６及び図７に示すように、上記のようにして連結された３枚のパネルよりなる仕切りパネル４は、接客カウンタの天板２に、次のようにして固定されている。
下部パネル６の上端に形成された凹溝２０の後端部に、固定部材２３における正面視上向コ字状断面をなす基部２３aを嵌合し、２本のねじ２４を凹溝２２の溝底面に設けためねじ孔２５に螺合することにより固定する。
【００３５】
基部２３aの左右の上端縁には、１対の水平片２３b、２３bが、下部パネル６の左右両側方に大きく突出するようにして連設され、両水平片２３bの側端部上面には、前後２個ずつのナット２６、２６が、両水平片２３bに穿設された２個ずつの通孔２７と同心をなすように、溶接により固着されている。
【００３６】
仕切りパネル４を接客カウンタの天板２に取付けるには、まず、上述のようにして連結された仕切りパネル４における上部パネル５と下部パネル６との間に形成された隙間Ｓに、天板２の前半部に挟入したのち、固定部材２３の水平片２３b、２３bの各ナット２６に、押圧ボルト２８を、上方に突出するまで螺挿する。
【００３７】
ついで、各押圧ボルト２８の上端に、方形をなす押圧板２９を載置し、その両側端部上面に固着された硬質ゴム等の滑り止め板３０、３０の上面が、天板２の下面に圧接するまで、各押圧ボルト２８を均等に締め込む。
これにより、下部パネル６には、床面Ｆと天板２との間において突っ張り力が作用し、アジャスタ１２の下面が床面Ｆに圧接するとともに、下部パネル６と上部パネル５は、前部パネル７を介して実質的に一体的に連結されているので、天板２の上面に上部パネル５の下端が強く圧接する。従って、天板２を上部パネル５と下部パネル６により強く挟持するようにして、天板２に仕切りパネル４が取付けられる。また、下部パネル６の上端は、左右方向を向く押圧板２９と滑り止め板３０を介して、天板２の下面に広い領域で圧接しているので、取付後において、仕切りパネル４が左右方向にぐらつく恐れはない。
【００３８】
上記実施形態のように、仕切りパネル４を、上部パネル５と下部パネル６と前部パネル７とを互いに連結し、この仕切りパネル４を、天板２を挟持するようにして取付けると、天板２に何らの加工を施すことなく、その上下と前方の空間を、左右方向に簡単に仕切ることができ、また仕切りパネル４の左右位置を容易に変更することができる。
【００３９】
また、天板２の前後寸法や高さ、什器の使用目的等に対応して、各パネル５、６、７の前後の幅や上下寸法及び種類等を、適切なものを選択して容易に変更することもできる。
【００４０】
さらに、例えば図１の２点鎖線で示すように、左右に隣接する仕切りパネル４における前部パネル７、７の前端に、互いに平行をなして前方を向き、かつ一方の前端を平面視内向きＬ字状をなすように他方に向かって屈曲された延長パネルＰ、Ｐを、上記のような連結手段により連結して、接客カウンタの前方に、顧客用の広いブースを形成することもできる。
【００４１】
仕切りパネル４における前部パネル７の前端は、次のようにして、床面Ｆに固定されている。
図８〜図１０は、前部パネル７の固定構造の第１の実施形態を示し、図８は、前部パネル７の前端下部の拡大側面図、図９は、図８のIX-IX線拡大横断平面図、図１０は、同じく、図９のX-X線拡大横断平面図である。
この実施形態の固定構造には、図１１〜図１３に示すようなパネル固定具３１が用いられる。
【００４２】
パネル固定具３１は、前端が平面視において半円形をなし、かつ後端部を除く上面が前下方に向かって傾斜する、パネルの幅方向である前後方向を向く固定部３２と、この固定部３２の後端に突設された、左右寸法が固定部３２のそれよりも小さい後向き突部３３とを備え、後向き突部３３における平坦をなす上面の後端寄りの両側端部と中央部とには、それぞれ、左右１対の円形断面の嵌合ロッド３４、３４と、それよりも前後寸法の小さな長円形断面の嵌合ロッド３５とが垂直に立設されている。なお、パネル固定具３１の左右寸法は、前部パネル７の厚さとほぼ等しく、また、後向き突部３３の左右幅は、塞ぎ材１０の前端部下面に形成された切欠き１０aにがたなく嵌合しうる寸法とされている。
【００４３】
固定部３２の後端部上面には、前部パネル７と直交する左右方向を向く側面視Ｕ字状の配線溝３６が形成され、この配線溝３６の前方における固定部３２の中央部には、固定ねじ挿入用の段付孔３７、３７が形成されている。
【００４４】
図８〜図１０に示すように、前部パネル７の前端には、前述した後端のサイドフレーム１６'''と同様、前面の中央部に上下方向を向く凹溝１７を有する中空状のサイドフレーム１６'''が取付けられている。このサイドフレーム１６'''の前面には、中空状のエンドカバー３８が、その後面中央部に突設された上下方向を向く凸条３８aを、凹溝１７内の前半部まで嵌合させ、それらの間に挿入したスペーサとねじ(いずれも図示略)により固定されている。
【００４５】
前部パネル７の前端を床面Ｆに固定するには、まず、図１０に示すように、塞ぎ材１０の前端部下面に形成された平面視前向コ字状の切欠き１０aの前端開口部に、パネル固定具３１の後向き突部３３を嵌合し、前後及び左右方向の位置決めをしたのち、パネル固定具３１を、ねじ３９、３９により、前部パネル７の幅方向である前方の床面Ｆに固定する。
【００４６】
ついで、パネル固定具３１における左右と中央部の嵌合ロッド３４、３４、３５に、前部パネル７のサイドフレーム１６'''の屈曲部１６aを挟む左右両側に形成された上下方向を向く凹部４０、４０と、屈曲部１６aの凹溝１７におけるエンドカバー３８の凸条３８aよりも後方の空間部４１を、それぞれ上方より上下方向に相対的に摺動可能に嵌合する。この嵌合作業は、仕切りパネル４を天板２に固定する前に行われる。なお、上記作業手順とは逆に、嵌合ロッド３４、３５を先にサイドフレーム１６'''の凹部４０と空間部４１に嵌合したのち、パネル固定具３１を床面Ｆにねじ止めしてもよい。
【００４７】
これにより、前部パネル７の前端下部は、パネル固定具３１を介して、左右方向に移動するのが防止されて床面Ｆに固定され、かつ嵌合ロッド３４、３５は上下方向に長いので、前部パネル７の下端部が厚さ方向にぐらつくことも抑えられる。
【００４８】
また、嵌合ロッド３４、３５が、サイドフレーム１６'''の前面板を前後両面から挟むようにして嵌合されているので、前部パネル７が前後方向に移動するのも防止される。
【００４９】
さらに、パネル固定具３１の嵌合ロッド３４、３５には、前部パネル７におけるサイドフレーム１６'''の凹部４０と、屈曲部１６aの空間部４１とが、上下方向に相対的に摺動可能に嵌合されているので、アジャスタ１２による前部パネル７の高さを調節を、支障なく行うことができる。
【００５０】
パネル固定具３１の嵌合ロッド３４、３５を、前部パネル７の一部であるサイドフレーム１６'''の凹部４０と空間部４１に嵌合させて、パネル固定具３１を床面Ｆに固定するだけでよいので、前部パネル７に、パネル固定具３１固定用の特別な加工を施す必要がなく、かつ作業牲もよい。
【００５１】
上記実施形態では、サイドフレーム１６'''の中空孔の前端部に形成された凹部４０に、パネル固定具３１の嵌合ロッド３４を嵌合しているが、例えば、後向き突部３３を後方に延出させて、その上面に、サイドフレーム１６'''の中空孔と補形をなす嵌合部を突設し、この嵌合部をサイドフレーム１６'''の中空孔に嵌合してもよい。この際には、中央の嵌合ロッド３５は省略してもよい。
【００５２】
図１４及び図１５は、前部パネル７の固定構造の第２の実施形態、図１６〜図１８は、この実施形態に用いるパネル固定具を示す。なお、上記と同様の部材には、同じ符号を付して、その詳細な説明を省略する。
【００５３】
この実施形態においては、上記と同様のパネル固定具３１における固定部３２の後端部上面に、その左右寸法とほぼ等しい左右幅の垂直平板状の嵌合片４２を別途立設し、この嵌合片４２を、エンドカバー３８の内部に形成された上下両方向に開口する左右方向に長い平面視長方形をなす中空孔４３に、下方より上下に相対的に摺動しうるように嵌合したものである。
【００５４】
この実施形態の固定構造においても、上記第１の実施形態の固定構造と同様の作用効果を奏することができる。
また、左右幅の大きい平板状の嵌合片４２が、エンドカバー３８の中空孔４３に上下に摺動可能に嵌合されているので、アジャスタ１２により、前部パネル７の床面Ｆからの高さを高くした際に、塞ぎ材１０の前端と前部パネル７の下端との間に隙間が形成されても、この隙間を嵌合片４２により体裁よく覆うことができる。
【００５５】
さらに、エンドカバー３８の下端部が、パネル固定具３１の嵌合片４２を介して、前部パネル７のサイドフレーム１６'''の前面に安定よく装着されているので、エンドカバー３８をサイドフレーム１６'''に固定するねじや、めねじ孔の数を減らすことができる。
【００５６】
図１９及び図２０は、前部パネル７の固定構造の第３の実施形態を示すもので、上記第２の実施形態と異なるのは、エンドカバーの構造のみである。
この実施形態のエンドカバー４４は、上記エンドカバー３８の前面に、上下両方向に開口する配線収容空間４５を有する配線ダクト４６を、その下端がパネル固定具３１の配線溝３６の直上に位置するようにして、一体的に形成したものである。なお、配線ダクト４６の前面の中央部には、配線収容空間４５内に前方からでも配線しうるように、縦長の配線挿入孔４７が、全長に亘って形成され、この配線挿入孔４７には、着脱可能なカバー４８が止着されている。
【００５７】
このようなエンドカバー４４を用いると、接客カウンタで使用されるＯＡ機器等のケーブルＣを、前部パネル７の外部に露呈させることなく、配線ダクト４６の配線収容空間４５内に収容して、床面Ｆまで体裁よく配線することができる。
また、パネル固定具３１の上面には、配線溝３６が形成されているので、前部パネル７の高さが、アジャスタ１２により最下限に調整され、配線ダクト４６の下端がパネル固定具３１の上端と近接していても、配線ダクト４６に収容したケーブルＣを、配線溝３６より左右方向に取り出すことができる。
【００５８】
図２１及び図２２は、パネル固定具の変形例と、それを用いた前部パネル７の固定構造の第４の実施形態を示すものである。なお、エンドカバー４４は、上記第３の実施形態のものと同一形状である。
この実施形態に用いられるパネル固定具４９は、前半部が、上記第２及び第３の実施形態のパネル固定具３１とほぼ同形をなし、上面が前下方に傾斜する固定部５０の後端部には、配線溝５１と嵌合片５２とが形成されている。
【００５９】
固定部５０の後端には、塞ぎ材１０内に前方より嵌合可能な左右幅の後向嵌合片５３が連設され、この後向嵌合片５３の後半部には、アジャスタ１２の軸部である下端部の六角形をなす回動操作部１２cに、これを挟むようにして前方より嵌合される、平面視後向Ｕ字状の嵌合溝５４が形成されている。
【００６０】
パネル固定具４９は、その後向嵌合片５３を塞ぎ片１０の前端部内に嵌合し、かつ後半部の嵌合溝５４を、アジャスタ１２の回動操作部１２cに嵌合させた状態で、床面にねじ止めされている。嵌合片５２には、上述と同様、エンドカバー４４の中空孔４３が、上下に摺動可能に嵌合されている。
【００６１】
第４の実施形態においては、パネル固定具４９の後向嵌合片５３が、前部パネル７のアジャスタ１２に嵌合されているので、前部パネル７の前端部が左右方向に移動することはない。
【００６２】
また、上記第２の実施形態と同様、左右幅の大きい嵌合片５２が、エンドカバー４４の中空孔４３に摺動可能に嵌合されているので、アジャスタ１２により、前部パネル７の床面Ｆからの高さを高くした際における、塞ぎ材１０の前端と前部パネル７の下端との間に形成される隙間を、嵌合片５２により体裁よく覆うことができる。なお、図２２の２点鎖線で示すように、第４の実施形態のパネル固定具４９にも、上記実施形態のような嵌合ロッド３４、３５を突設し、これらを、上記と同様、サイドフレーム１６'''に嵌合させるようにしてもよい。
【００６３】
上記第１〜第４の実施形態のパネルの固定構造においては、いずれも、塞ぎ材１０を有するものとしたが、この塞ぎ材１０を省略して実施することもある。
【図面の簡単な説明】
【００６４】
【図１】本発明を適用した対面式接客カウンタの一部切欠き斜視図である。
【図２】図１のII-II線拡大縦断側面図である。
【図３】図２のIII-III線拡大縦断正面図である。
【図４】上部、下部及び前部パネルにおける連結前の側面図である。
【図５】同じく、各パネル連結後の要部の拡大縦断側面図である。
【図６】図２のVI-VI線拡大縦断正面図である。
【図７】上部パネルと下部パネルにおける天板への固定前の要部の拡大分解斜視図である。
【図８】前部パネルの固定構造の第１の実施形態を示す要部の拡大側面図である。
【図９】図８のIX-IX線拡大横断平面図である。
【図１０】同じく、X-X線拡大横断平面図である。
【図１１】前部パネルの第１の実施形態の固定構造に用いるパネル固定具の側面図である。
【図１２】同じく、平面図である。
【図１３】図１２のXIII-XIII線縦断側面図である。
【図１４】前部パネルの固定構造の第２の実施形態を示す要部の拡大側面図である。
【図１５】図１４のXV-XV線拡大横断平面図である。
【図１６】前部パネルの第２の実施形態の固定構造に用いるパネル固定具の側面図である。
【図１７】同じく、平面図である。
【図１８】図１７のXVIII-XVIII線縦断側面図である。
【図１９】前部パネルの固定構造の第３の実施形態を示す要部の拡大側面図である。
【図２０】図１９のXX-XX線拡大横断平面図である。
【図２１】前部パネルの第４の実施形態の固定構造に用いるパネル固定具の斜視図である。
【図２２】同じく、前部パネルの第４の実施形態の固定構造を、図１９と同部位で横断して示す拡大平面図である。
【符号の説明】
【００６５】
１    エンドパネル
２    天板
３    幕板
４    仕切りパネル
５    上部パネル
６    下部パネル
７    前部パネル
８    下部フレーム
９    幅木
１０  塞ぎ材
１０a 切欠き
１１  アジャスタ取付部材
１１a ナット
１２  アジャスタ
１２a ねじ軸
１２b 接床部材
１２c 回動操作部
１３  連結部材
１３a 基部
１３b 係止爪
１３c 取付片
１４  係止金具
１４a 係止片
１５  固定金具
１６' サイドフレーム
１６''サイドフレーム
１６'''サイドフレーム
１６a 屈曲部
１７  凹溝
１８  係合孔
１９  止めねじ
２０  凹溝
２１  止めねじ
２２  凹溝
２３  固定部材
２３a 基部
２３b 水平片
２４  ねじ
２５  めねじ孔
２６  ナット
２７  通孔
２８  押圧ボルト
２９  押圧板
３０  滑り止め板
３１  パネル固定具
３２  固定部
３３  後向き突部
３４  嵌合ロッド
３５  嵌合ロッド
３６  配線溝
３７  段付孔
３８  エンドカバー
３８a 凸条
３９  ねじ
４０  凹部
４１  空間部
４２  嵌合片
４３  中空孔
４４  エンドカバー
４５  配線収容空間
４６  配線ダクト
４７  配線挿入孔
４８  カバー
４９  パネル固定具
５０  固定部
５１  配線溝
５２  嵌合片
５３  後向嵌合片
５４  嵌合溝
Ｃ    ケーブル
Ｆ    床面
Ｐ    延長パネル
Ｓ    隙間
【図１】
2010035566.tif 000003
【図２】
2010035566.tif 000004
【図３】
2010035566.tif 000005
【図４】
2010035566.tif 000006
【図５】
2010035566.tif 000007
【図６】
2010035566.tif 000008
【図７】
2010035566.tif 000009
【図８】
2010035566.tif 000010
【図９】
2010035566.tif 000011
【図１０】
2010035566.tif 000012
【図１１】
2010035566.tif 000013
【図１２】
2010035566.tif 000014
【図１３】
2010035566.tif 000015
【図１４】
2010035566.tif 000016
【図１５】
2010035566.tif 000017
【図１６】
2010035566.tif 000018
【図１７】
2010035566.tif 000019
【図１８】
2010035566.tif 000020
【図１９】
2010035566.tif 000021
【図２０】
2010035566.tif 000022
【図２１】
2010035566.tif 000023
【図２２】
2010035566.tif 000024